(57)【要約】【課題】  複数の設定項目を設定する際のユーザの操作を軽減し、かつ設定時間を短縮可能とする。【解決手段】  操作パネル１０は、タッチパネルなどからなり、該画像形成装置の動作必要とされる各種設定項目の選択、設定項目に対する設定値の指定などを行うための設定画面を表示する。制御部１２は、操作パネル１０に表示される、設定項目毎の設定画面から設定値が指定される度に、その設定項目と設定値とを登録するとともに、各設定画面に共通に表示される予約設定項目ウインドウに一覧表示させる。そして、予約設定項目ウインドウで設定が指示されると、当該予約設定項目ウインドウに登録されている全ての設定値を、対応する設定項目に一括して設定する。【選択図】    図１
2006323479.tif 000002
【特許請求の範囲】
【請求項１】
複数の設定項目の各々に対して設定値を指定する設定値指定手段と、
前記設定値指定手段により設定値が指定される度に、該指定された設定値を保持する保持手段と、
前記保持手段により保持された設定値を、該設定値に対応する設定項目に対して設定する設定手段と
を具備することを特徴とする情報処理装置。
【請求項２】
前記設定手段は、前記保持手段により保持された設定値を、該設定値に対応する設定項目に対して一括して設定することを特徴とする請求項１記載の情報処理装置。
【請求項３】
前記保持手段に保持されている設定値と、該設定値に対応する設定項目とを一覧表示する表示手段を具備することを特徴とする請求項１または２記載の情報処理装置。
【請求項４】
前記表示手段に一覧表示されている設定項目のうち任意の設定項目を指定する設定項目指定手段を具備し、
前記設定項目指定手段により設定項目が指定されると、該指定された設定項目の設定値を前記設定値指定手段により再指定可能とすることを特徴とする請求項１ないし３のいずれかに記載の情報処理装置。
【請求項５】
前記設定項目指定手段により設定項目が指定されると、該指定された設定項目に対応する、前記保持手段により保持された設定値を削除する削除手段を具備することを特徴とする請求項４記載の情報処理装置。
【請求項６】
前記設定手段は、前記設定項目指定手段により設定項目が指定されると、該指定された設定項目に対応する、前記保持手段により保持された設定値を該設定値に対応する設定項目に対して個別に設定することを特徴とする請求項４記載の情報処理装置。
【請求項７】
前記設定手段により設定値が設定されると、該設定値に対応する設定項目に対する、前記保持手段により保持された設定値を削除する削除手段を具備することを特徴とする請求項６記載の情報処理装置。
【請求項８】
複数の設定項目の各々に対して設定値を指定する設定値指定手段を備えた情報処理装置における情報設定プログラムであって、
複数の設定項目の各々に対して設定値が指定される度に、該指定された設定値を保持し、該保持された設定値を、該設定値に対応する設定項目に対して設定する処理をコンピュータに行わせることを特徴とする情報設定プログラム。
【請求項９】
前記保持された設定値を、該設定値に対応する設定項目に対して一括して設定することを特徴とする請求項８記載の情報設定プログラム。
【請求項１０】
前記保持されている設定値と、該設定値に対応する設定項目とを一覧表示することを特徴とする請求項８または９記載の情報設定プログラム。
【発明の詳細な説明】
【技術分野】
【０００１】
本発明は、動作に係る複数の設定項目を有する情報処理装置および情報設定プログラムに関する。
【背景技術】
【０００２】
従来、画像形成装置などの情報処理装置では、動作に係る複数の設定項目がある。ユーザは、これら複数の設定項目を適切に設定することで、所望の動作、例えば印刷処理などを実行させることができる。このような複数の設定項目を有する情報処理装置では、如何に容易に設定項目を設定することが重要である。例えば、設定済みの項目の設定条件が表示され、項目キーを押下すると、設定条件を変更する技術が提案されている（例えば特許文献１参照）。また、プリンタドライバの印刷設定画面において、表示されている設定項目以外の項目も含めて設定条件を一覧表示するとともに、設定した印刷条件を登録する技術が提案されている（例えば特許文献２参照）。
【特許文献１】特開２０００−９４７８９号公報
【特許文献２】特開２００２−３０４２６６号公報
【発明の開示】
【発明が解決しようとする課題】
【０００３】
ところで、上述した従来技術では、設定項目が非常に多いため、それらの設定画面は項目毎に分けられて個別に表示される。そのため、ユーザは、各項目の設定画面を開いては設定項目を適切な値に設定登録する作業が必要であり、設定した項目を一度に確認することができず、また、設定項目の登録作業が非常に煩雑であったという問題が生じる。
【０００４】
また、このような情報処理装置では、設定項目を設定するための処理時間が必要である。設定項目によっては、その設定処理に時間がかかるものがある。複数の設定画面で設定が必要な場合には、各設定画面にて値の指定時間、設定時間が必要となり、その間、次の設定画面を開いて設定することができないという問題があった。
【０００５】
本発明は、このような事情を考慮してなされたものであり、その目的は、複数の設定項目を設定する際のユーザの操作を軽減でき、かつ設定時間を短縮することができる情報処理装置および情報設定プログラムを提供することにある。
【課題を解決するための手段】
【０００６】
上述した課題を解決するために、本発明は、複数の設定項目の各々に対して設定値を指定する設定値指定手段と、前記設定値指定手段により設定値が指定される度に、該指定された設定値を保持する保持手段と、前記保持手段により保持された設定値を、該設定値に対応する設定項目に対して設定する設定手段とを具備することを特徴とする。
【０００７】
本発明は、上記の発明において、前記設定手段は、前記保持手段により保持された設定値を、該設定値に対応する設定項目に対して一括して設定することを特徴とする。
【０００８】
本発明は、上記の発明において、前記保持手段に保持されている設定値と、該設定値に対応する設定項目とを一覧表示する表示手段を具備することを特徴とする。
【０００９】
本発明は、上記の発明において、前記表示手段に一覧表示されている設定項目のうち任意の設定項目を指定する設定項目指定手段を具備し、前記設定項目指定手段により設定項目が指定されると、該指定された設定項目の設定値を前記設定値指定手段により再指定可能とすることを特徴とする。
【００１０】
本発明は、上記の発明において、前記設定項目指定手段により設定項目が指定されると、該指定された設定項目に対応する、前記保持手段により保持された設定値を削除する削除手段を具備することを特徴とする。
【００１１】
本発明は、上記の発明において、前記設定手段は、前記設定項目指定手段により設定項目が指定されると、該指定された設定項目に対応する、前記保持手段により保持された設定値を該設定値に対応する設定項目に対して個別に設定することを特徴とする。
【００１２】
本発明は、上記の発明において、前記設定手段により設定値が設定されると、該設定値に対応する設定項目に対する、前記保持手段により保持された設定値を削除する削除手段を具備することを特徴とする。
【００１３】
また、上述した課題を解決するために、本発明は、複数の設定項目の各々に対して設定値が指定される度に、該指定された設定値を保持し、該保持された設定値を、該設定値に対応する設定項目に対して設定することを特徴とする。
【００１４】
本発明は、上記の発明において、前記保持された設定値を、該設定値に対応する設定項目に対して一括して設定することを特徴とする。
【００１５】
本発明は、上記の発明において、前記保持手段に保持されている設定値と、該設定値に対応する設定項目とを一覧表示することを特徴とする。
【００１６】
本発明は、上記の発明において、前記一覧表示されている設定項目のうち、指定された設定項目の設定値を再指定可能とすることを特徴とする。
【００１７】
本発明は、上記の発明において、前記一覧表示されている設定項目のうち、指定された設定項目の設定値を削除することを特徴とする。
【００１８】
本発明は、上記の発明において、前記一覧表示されている設定項目のうち、指定された設定項目の設定値を、該設定値に対応する設定項目に対して個別に設定することを特徴とする。
【００１９】
本発明は、上記の発明において、前記個別に設定された設定項目に対して保持された設定値を削除することを特徴とする。
【発明の効果】
【００２０】
この発明によれば、設定値指定手段により、複数の設定項目の各々に対して設定値を指定される度に、該指定された設定値を保持手段に保持しておき、設定手段により、前記保持手段により保持された設定値を、該設定値に対応する設定項目に対して設定する。したがって、複数の設定項目を設定する際に、設定したい複数の設定項目の設定値を予め指定しておくことで、後から設定可能となり、ユーザの操作を軽減でき、かつ設定時間を短縮することができるという効果が得られる。
【００２１】
また、本発明によれば、前記設定手段により、前記保持手段により保持された設定値を、該設定値に対応する設定項目に対して一括して設定する。したがって、複数の設定項目を設定する際に、設定したい設定項目の設定値を順次保持手段に保持しておき、後で保持された設定値を一括して設定することで、ユーザの操作を軽減でき、かつ設定時間を短縮することができるという効果が得られる。
【００２２】
また、本発明によれば、前記保持手段に保持されている設定値と、該設定値に対応する設定項目とを表示手段に一覧表示する。したがって、保持されている設定項目および設定値を容易に確認することができ、ユーザの操作を軽減でき、かつ設定時間を短縮することができるという効果が得られる。
【００２３】
また、この発明によれば、設定項目指定手段により、前記表示手段に一覧表示されている設定項目のうち任意の設定項目を指定されると、該指定された設定項目の設定値を前記設定値指定手段により再指定可能とする。したがって、再指定が容易になり、ユーザの操作を軽減でき、かつ設定時間を短縮することができるという効果が得られる。
【００２４】
また、本発明によれば、前記設定項目指定手段により設定項目が指定されると、該指定された設定項目に対応する、削除手段により、前記保持手段により保持された設定値を削除する。したがって、設定が完了したか否かを容易に確認することができ、ユーザの操作を軽減でき、かつ設定時間を短縮することができるという効果が得られる。
【００２５】
また、本発明によれば、前記設定項目指定手段により設定項目が指定されると、前記設定手段により、該指定された設定項目に対応する、前記保持手段により保持された設定値を該設定値に対応する設定項目に対して個別に設定する。したがって、個別に設定することができ、ユーザの操作を軽減でき、かつ設定時間を短縮することができるという効果が得られる。
【００２６】
また、本発明によれば、前記設定手段により設定値が設定されると、削除手段により、該設定値に対応する設定項目に対する、前記保持手段により保持された設定値を削除する。したがって、個別に設定した場合でも、設定が完了したか否かを容易に確認することができ、ユーザの操作を軽減でき、かつ設定時間を短縮することができるという効果が得られる。
【００２７】
また、この発明によれば、複数の設定項目の各々に対して設定値が指定される度に、該指定された設定値を保持し、該保持された設定値を、該設定値に対応する設定項目に対して設定する。したがって、複数の設定項目を設定する際に、設定したい複数の設定項目の設定値を予め指定しておくことで、後から設定可能となり、ユーザの操作を軽減でき、かつ設定時間を短縮することができるという効果が得られる。
【発明を実施するための最良の形態】
【００２８】
以下、本発明の一実施形態による電子機器を、図面を参照して説明する。
図１は、本発明の実施形態による画像形成装置の構成を示すブロック図である。画像形成装置１は、操作パネル１０、制御部１２、記憶部１３、画像形成部１４、ネットワークＩ／Ｆ１５などからなる。操作パネル１０は、タッチパネルなどからなり、設定画面などを表示するとともに、該設定画面をタッチすることで、設定値、登録指示などを入力することが可能になっている。
【００２９】
制御部１２は、当該装置全体の動作を制御する。特に、本実施形態では、制御部１２は、当該画像形成装置１の動作に必要とされる各種設定項目に対する設定値の設定処理を行う。記憶部１３は、複数の設定項目の設定値（デフォルト値を含む）などを記憶する。画像形成部１４は、ネットワークＩ／Ｆ１５を介して受信した印刷ジョブに従って用紙などに印字出力する。ネットワークＩ／Ｆ１５は、ＬＡＮなどのネットワーク２０を介してネットワーク上の端末からの印刷ジョブを受信する。
【００３０】
次に、上述した本実施形態の動作について説明する。まず、設定モードが選択されると、図４に示す設定選択画面１００が操作パネル１０に表示される。設定選択画面１００には、各設定項目を選択するための項目選択ボタン１０１が表示されている。決定ボタン１０２は、項目選択ボタン１０１による選択を決定するためのボタンであり、決定ボタン１０２が押下されると、選択された項目設定画面の表示へ移行する。戻るボタン１０３は、１つ前の画面に戻るためのボタンである。
【００３１】
また、設定選択画面１００は、設定項目毎に登録された値（但し、未設定）が表示される予約設定項目ウインドウ１０４を備えている。設定ボタン１０５は、予約設定項目ウインドウ１０４に表示されている設定項目の値を一括して設定するためのボタンである。削除ボタン１０６は、予約設定項目ウインドウ１０４に表示されている設定項目のうち、選択された設定項目の内容を削除するためのボタンである。
【００３２】
上記設定選択画面１００において、項目選択ボタン１０１の中からいずれかの項目が押下された後、決定ボタン１０２が押下されると、指定された項目の設定画面へ移行する。ここで、例えば「用紙サイズ」が選択された場合には、図５に示す用紙サイズの設定画面２００が表示される。また、例えば「用紙タイプ」が選択された場合には、図６に示す用紙タイプの設定画面３００が表示される。なお、各設定画面２００、３００では、その項目のデフォルト値が反転色で表示される。例えば、図５に示す例では、デフォルト値として、「Ｌｅｔｔｅｒ」が反転表示される。
【００３３】
ここで、図２および図３は、本実施形態による画像形成装置の動作を説明するためのフローチャートである。各設定画面（図５、図６）において、まず、各設定項目の値が指定されたか否かを判断する（ステップＳ１０）。例えば図５に示す用紙サイズの設定画面２００の場合には、用紙サイズ選択ボタン２０１の中からいずれかの用紙サイズが選択されたか否かを判断する。より具体的には、用紙サイズ選択ボタン２０１の中からいずれかの用紙サイズを指定するボタンが押下されたか否かを判断する。
【００３４】
そして、いずれかの設定値が指定された場合には、その設定項目が既に予約設定項目ウインドウ１０４に登録されているか否かを判断し（ステップＳ１２）、指定された設定項目が予約設定項目ウインドウ１０４に登録されていない場合には、予約登録用のメモリ（記憶部１３）に設定項目と設定内容、設定項目の設定画面へのリンク情報を登録する（ステップＳ１４）。
【００３５】
例えば、図５に示す例では、用紙サイズとして「Ａ４」が指定された場合を示している。この場合、予約設定項目ウインドウ１０４に「用紙サイズ：Ａ４」が表示される。また、図６に示す例では、上記用紙サイズに加えて、さらに、用紙タイプとして「Ｐｌａｎｅ」が指定された場合を示している。さらに、記憶部１３には、設定項目「用紙サイズ」、設定内容「Ａ４」、設定項目の設定画面２００へのリンク情報が一時的に記憶されることになる。
【００３６】
一方、指定された設定項目が既に予約設定項目ウインドウ１０４に登録されている場合には、登録されている項目の設定内容を更新する（ステップＳ１６）。このように、各設定画面において、選択された設定値は全て予約設定項目ウインドウ１０４に追加されていくことになる。
【００３７】
次に、いずれの場合も、その設定画面にて設定が行われた否かを判断する（ステップＳ１８）。すなわち、図５、図６において、設定ボタン１０８が押下されたか否かを判断する。そして、設定が行われた場合、すなわち設定ボタン１０８が押下された場合には、直ちに登録内容を設定するとともに、その設定画面にて予約設定項目ウインドウ１０４に登録されている情報を削除する（ステップＳ２０）。
【００３８】
また、ステップＳ１０で各設定の値が指定されなかった場合、あるいは上述した一連の処理が終了した場合には、予約設定項目ウインドウ１０４の設定が行われたか否かを判断する（ステップＳ２２）。すなわち、図５、図６において、予約設定項目ウインドウ１０４の設定ボタン１０５が押下されたか否かを判断する。そして、予約設定項目ウインドウ１０４の設定が行われた場合、すなわち、設定ボタン１０５が押下された場合には、予約設定項目ウインドウ１０４に登録されている全項目の登録内容を一括設定する（ステップＳ２４）。ここで、設定が完了した項目／設定できなかった項目が分かるように指示アイコン（例えば、◎、×）などでユーザに知らせるようにしてもよい。
【００３９】
また、設定選択画面１００、あるいは各項目の設定画面（図５の用紙サイズの設定画面２００、図６の用紙タイプの設定画面３００など）において、予約設定項目ウインドウ１０４の登録されている項目が選択されたか否かを判断する（ステップＳ２６）。そして、いずれかの項目が選択された場合には、リンク情報に従って、その項目の設定画面を開く（ステップＳ２８）。例えば、選択された項目が用紙サイズであれば、図５に示す用紙サイズの設定画面２００を開き、用紙タイプであれば図６の用紙タイプの設定画面３００を開く。
【００４０】
次に、予約設定項目ウインドウ１０４で削除が行われたか否かを判断する（ステップＳ３０）。すなわち、予約設定項目ウインドウ１０４の削除ボタン１０６が押下されたか否かを判断する。そして、削除ボタン１０６が押下された場合には、選択された項目を予約設定項目ウインドウ１０４から削除するとともに、予約登録用のメモリ（記憶部１３）の内容も削除する（ステップＳ３２）。ここで、予約設定項目ウインドウ１０４に登録されている全項目を一括クリアするための操作ボタンを設けるようにしてもよい。
【００４１】
以下、上述した一連の処理（ステップＳ１００からステップＳ２００のループ１）を繰り返し実行する。
【００４２】
上述した実施形態によれば、設定したい項目を全て指定した後に、一括して設定することができ、ユーザの操作を軽減でき、かつ設定時間を短縮することができる。
【００４３】
なお、上述した実施形態では、プリンタなどの画像形成装置を例に説明したが、これに限らず、複数の設定項目を備える機器であれば、パーソナルコンピュータや、携帯電話、携帯情報機器（ＰＤＡ）などの情報処理装置にも適用可能であることは言うまでもない。また、上述した実施形態では、画像形成装置の操作パネルからの操作として説明したが、これに限らず、例えばサーバ機能を有する画像形成装置の場合などには、ネットワークを介してブラウザから設定可能としてもよい。
【００４４】
また、上述した実施形態においては、上述した制御部１２による一連の処理の過程は、プログラムの形式でコンピュータ読み取り可能な記録媒体に記憶されており、このプログラムをコンピュータが読み出して実行することによって、上記処理が行われる。すなわち、制御部１２における、各処理手段、処理部は、ＣＰＵ等の中央演算処理装置がＲＯＭやＲＡＭ等の主記憶装置に上記プログラムを読み出して、情報の加工・演算処理を実行することにより、実現されるものである。
【００４５】
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００４６】
【図１】本発明の実施形態による画像形成装置の構成を示すブロック図である。
【図２】本実施形態による画像形成装置の動作を説明するためのフローチャートである。
【図３】本実施形態による画像形成装置の動作を説明するためのフローチャートである。
【図４】操作パネル１０に表示される設定選択画面１００の一例を示す模式図である。
【図５】操作パネル１０に表示される項目設定画面（用紙サイズ）２００の一例を示す模式図である。
【図６】操作パネル１０に表示される項目設定画面（用紙タイプ）３００の一例を示す模式図である。
【符号の説明】
【００４７】
１  画像形成装置
１０  操作パネル（設定値指定手段、表示手段、設定項目指定手段）
１２  制御部（設定手段、削除手段）
１３  記憶部（保持手段）
１４  画像形成部
１５  ネットワークＩ／Ｆ
２０  ネットワーク
【図１】
2006323479.tif 000003
【図２】
2006323479.tif 000004
【図３】
2006323479.tif 000005
【図４】
2006323479.tif 000006
【図５】
2006323479.tif 000007
【図６】
2006323479.tif 000008